(57)【要約】【課題】本考案は、作業状況に応じて物置フレームの高さを調整することができ、工具や関連物を取ったり置いたりしやすく、スペースをとらないステップチェアの構造を提供する。【解決手段】前フレームと、中フレームと、後フレームと、連結モジュールと、伸縮可能な物置フレームとからなる。前フレームは、コ形フレームの二本の側管の間に、複数の踏板の前段の両側を枢設してなり、中フレームは、二本の縦管間に、各踏板の後側を支える複数の横バーを設けてなり、後フレームは、下横バーを二本の縦管に結合してなり、後フレームの上端は、前フレームの二本の側管の中段に枢設される。連結モジュールの一端は、中フレームの二本の縦管に連結され、連結モジュールの他端は、後フレームの二本の縦管に連結され、それにより、スライド連結構造が形成される。物置フレームは、中フレームの上端に設けられる。【選択図】図１
0003178280.tif 000002
【実用新案登録請求の範囲】
【請求項１】
前フレームと、中フレームと、後フレームと、連結モジュールと、伸縮可能な物置フレームとからなるステップチェアの構造であって、
前フレームは、コ形フレームの二本の側管の間に、複数の踏板の前段の両側を枢設してなり
中フレームは、二本の縦管間に、各踏板の後側を支える複数の横バーを設けてなり、
後フレームは、下横バーを二本の縦管に結合してなり、後フレームの上端は、前フレームの二本の側管の中段に枢設され、
連結モジュールの一端は、中フレームの二本の縦管に連結され、連結モジュールの他端は、後フレームの二本の縦管に連結され、それにより、スライド連結構造が形成され、
物置フレームは、中フレームの上端に設けられることを特徴とする、ステップチェアの構造。
【請求項２】
物置フレームは、コ形伸縮フレームと物置台とからなり、コ形伸縮フレームの二本の側管は、中フレームの二本の縦管内に嵌め込まれ、コ形伸縮フレームの二本の側管内には、それぞれ、位置決め凸粒が結合されたＶ形弾性片が嵌め込まれ、位置決め凸粒は二本の側管外壁から突出し、中フレームの二本の縦管の上段の管壁には、位置決め凸粒を係合して位置を調整するための複数の位置決め孔が貫設され、コ形伸縮フレームの上横管には、内側に向かって、横向きの上ストップ部が設けられるとともに、下に向かって、縦向きの下ストップ部が設けられ、物置台には、工具で位置決めするための差込孔が貫設され、物置台の底部の中間には、展開する時に上ストップ部と係合する上係合ブロックと、収納する時に下ストップ部と係合する下係合ブロックとが設けられ、物置台の底部の両側には、上横管に嵌合される二つの結合台座が設けられ、それに、位置決めブロックを組み合わせて螺合することにより、物置台を上横管に沿って水平に回転させたり、垂直に回転させ収納させたりすることができることを特徴とする、請求項１に記載のステップチェアの構造。
【請求項３】
連結モジュールは、連結バーと、二本のＬ形係合バーからなり、連結バーは後フレームの二本の縦管の上方に枢設され、二本のＬ形係合バーは、連結バー内側に設けられ、二本のＬ形係合バーを中フレームの二本の縦バーに嵌合することにより、ステップチェアを展開収納した際の位置を固定する構造を形成することを特徴とする、請求項１または請求項２に記載のステップチェアの構造。
【請求項４】
連結バーの中段には、ステップチェアを展開した時にフレームの横バーと係合されて連結を強化する留め具が枢設され、前フレームの二本の側管における後フレームの軸ピンが枢設される上方には、後フレームの二本の縦管が外に開くのを防ぐことができる安全ストッパーピンが設けられることを特徴とする、請求項３に記載のステップチェアの構造。
【考案の詳細な説明】
【技術分野】
【０００１】
本考案はステップチェアの構造に関し、特に物置フレームに伸縮調整機能を設けることにより、展開と折り畳みの操作をさらにスムーズ且つ楽に行うことが可能なステップチェアの構造に関する。
【背景技術】
【０００２】
台湾特許第５３４２１７号『折り畳み式梯子の物置き台支持構造』と第Ｍ４１５１９６号『折り畳み式梯子』の二つの特許は、物置台を設けることにより、工具や関連物を置いたり取ったりすることができる。しかしながら、これらの物置台は固定式であり、異なる工事、作業に合わせてその高さを調整することはできないため、使用者が工具や関連物を取るとき或いは置く時に、登り降りしなければならず、時間と体力が浪費されるため、使用上、非常に不便である。
【０００３】
また、台湾特許第Ｍ２４６４４８号の「脚立の構造」は、前フレームと、中フレームと、二つの連結モジュールと、後フレームと、からなる。二つのスライド可能な連結モジュールにより、ステップチェアを展開させたときに固定することができるとともに、展開・折り畳みの操作が簡単である。
【０００４】
二つの連結モジュールの構造は、左ブロックのコ形溝と右ブロックの縦向半円溝を中フレームの二本の縦バーに取り付けるが、一つには、コ形溝、縦向半円溝と二本の縦バー表面は接触面積が大きく、二つには、中フレームと後フレームの間に、左、右ブロック、連結バー等の複数の部材を連結させるため、干渉抵抗力が増し、展開させたり折りたたんだりする操作の際の摩擦抵抗力が大きくなり、スムーズではなく使用の際に力がいる上、構造が複雑でコストも高くなる。
【０００５】
また、この構造は、物を置く構造を備えておらず、使用者が工具や関連物を取ったり置いたりする際、昇り降りしなければならず、時間と体力が浪費され、使用上不便である。
【先行技術文献】
【特許文献】
【０００６】
【特許文献１】台湾特許第５３４２１７号明細書
【特許文献２】台湾特許第Ｍ４１５１９６号明細書
【特許文献３】台湾特許第Ｍ２４６４４８号明細書
【考案の概要】
【考案が解決しようとする課題】
【０００７】
そこで、本考案は、作業状況に応じて物置フレームの高さを調整することができ、工具や関連物を取ったり置いたりしやすく、スペースをとらないステップチェアの構造を提供することを目的とする。
【０００８】
また、本考案は、構造がシンプルで、連結の接触面積と部材の干渉抵抗力を減らし、展開と収容の操作を、スムーズに行うことができるステップチェアの構造を提供することを目的とする。
【課題を解決するための手段】
【０００９】
本考案によるステップチェアの構造は、前フレームと、中フレームと、後フレームと、連結モジュールと、伸縮可能な物置フレームとからなる。前フレームは、コ形フレームの二本の側管の間に、複数の踏板の前段の両側を枢設してなり、中フレームは、二本の縦管間に、各踏板の後側を支える複数の横バーを設けてなり、後フレームは、下横バーを二本の縦管に結合してなり、後フレームの上端は、前フレームの二本の側管の中段に枢設される。連結モジュールの一端は、中フレームの二本の縦管に連結され、連結モジュールの他端は、後フレームの二本の縦管に連結され、それにより、スライド連結構造が形成される。物置フレームは、中フレームの上端に設けられる。
【図面の簡単な説明】
【００１０】
【図１】本考案の分解斜視図である。
【図２】本考案の物置フレームの分解斜視図である。
【図３】本考案を組み合わせた状態を示した斜視図である。
【図４】本考案を展開した状態を示した平面図である。
【図５】本考案を折り畳む操作を示した説明図である。
【図６】本考案の安全ストッパーピンを示した説明図である。
【図７】本考案の物置台を回転させて展開させた状態を示した説明図である。
【図８】本考案の物置台を回転させて収納させた状態を示した説明図である。
【図９】本考案の連結モジュールと中フレームの組合せを横から見た断面図である。
【図１０】本考案の連結モジュールと中フレームの組合せを縦から見た断面図である。
【考案を実施するための形態】
【００１１】
図１から図３に示すように、本考案は、前フレーム１０と、中フレーム２０と、後フレーム３０と、連結モジュール４０と、物置フレーム５０と、からなる。
【００１２】
前フレーム１０は、コ形フレームの二本の側管１１の間に、複数の踏板１２の前段の両側を枢設してなる。
【００１３】
中フレーム２０は、二本の縦管２１間に、踏板１１をのせる複数の横バー２２を設けてなり、二本の縦管２１の上段には、複数の位置決め孔２１１が貫設される。
【００１４】
後フレーム３０は、二本の縦管３１と下横バー３２とからなる。二本の縦管３１の上端は、前フレーム１０の二本の側管１１の中段に、軸ピンで枢設される。二本の側管１１における軸ピンの上方には、後フレーム３０の二本の縦管３１をストップする安全ストッパーピン１３が設けられる（図６を図示）。
【００１５】
連結モジュール４０は、連結バー４１と、連結バー４１に設けられる二本のＬ形４２（溶接或いはネジによって固定される）とからなる。連結バー４１の両端は、後フレーム３０の二本の縦管３１の内壁に枢設され、二本のＬ形係合バー４２は、側面の開口から、中フレーム２０の両側の縦管２１に嵌め込まれ、それにより、後フレーム３０と中フレーム２０のスライドの位置を限定する構造となる。連結バー４１中段には、留め具４３が枢設される。
【００１６】
図２に示すように、物置フレーム５０は、コ形伸縮フレーム５１と、物置台５２とからなる。コ形伸縮フレーム５１の二本の側管は、中フレーム２０の二本の縦管２１内に嵌め込まれ、コ形伸縮フレーム５１の二本の側管内には、それぞれ、位置決め凸粒５１２が結合されたＶ形弾性片５１３が嵌め込まれる。それにより、位置決め凸粒５１２は二本の側管の外壁から突出し、それを、中フレーム２０の二本の縦管２１のいずれかの位置決め孔２１１と係合させることにより高さを調整して固定することができる。コ形伸縮フレーム５１の上横管５１４には、内側に向かって、横向きの上ストップ部５１５が設けられるとともに、下に向かって、縦向きの下ストップ部５１６が設けられる。物置台５２には、工具で位置決めするための複数の差込孔５２１が貫設され、底部には、展開する時に上ストップ部５１５と係合する上係合ブロック５２２（これはＣ形状にすることができる）と、収納する時に下ストップ部５１６と係合する下係合ブロック５２３（これもＣ形状にすることができる）とが設けられ、物置台５２の底部の両側には、上横管５１４に嵌合される二つの結合台座５２４が設けられ、それに、位置決めブロック５２５を組み合わせて螺合することにより、物置台５２を上横管５１４に沿って水平に回転させて展開させたり、垂直に回転させ収納させたりすることができる。
【００１７】
図４に示すように、本考案のステップチェアを展開して使用する時は、物置フレーム５０の位置決め凸粒５１２を押して、コ形伸縮フレーム５１の昇降を調整することで、作業の高さに合わせて物置台５２の高さを調整することができる。それにより、工具や物を取ったり置いたりしやすくなる。
【００１８】
図７と図８に示すように、本考案のステップチェアを展開して使用する時は、物置台５２を水平になるように回転させ、底部のＣ形状の上係合ブロック５２２をコ形伸縮フレーム５１の上横管５１４の上ストップ部５１５に係合させるだけで、物置台５２を固定して、その上に物を置くことができる。ステップチェアをたたむ時は、物置台５２を外側へ（下方向へ）回転させ、底部のＣ形状の下係合ブロック５２３を下ストップ部５１６に係合させることで、物置台５２を折り畳んで固定することができる。以上のように、物置台は、上横管に沿って水平に展開或いは垂直に収納することができ、その操作は非常に素早く簡単に行うことができる。そして、この物置台は、ステップチェアに収納することでスペースを節約することができる。
【００１９】
図９に示すように、本考案の中フレーム２０と後フレーム３０に連結される連結モジュール４０は、連結バー４１の二本のＬ形係合バー４２の横向きの開口に、中フレーム２０の二本の縦管２１を嵌め込めば、二本の係合バー４２は円形のバーであるため、二本の縦管２１と二本のＬ形係合バー４２の間は点で接触し、単一の部材でスライド可能に連結しているため、接触による摩擦と連結による干渉抵抗力を減らすことができ、より小さい力でスムーズにステップチェアを展開あるいは収納することができる（図４、図５に図示）。展開させる時は、後フレーム３０の下端を後方へ引っ張って前フレーム１０と人の字状を形成させ、前フレーム１０と平行の中フレーム２０を、二本目の横バー２２によって連結モジュール４０の二本のＬ形係合バー４２に当接させる（図１０に図示）。それにより、中フレーム２０の各横バー２２は、各踏板１２の後段をしっかりと支えることができ、また、連結モジュール４０中段の留め具４３を中フレーム２０の二本目の横バー２２に係合させることにより、固定を強化することができる。
【符号の説明】
【００２０】
１０        前フレーム              
１１        側管    
１２        踏板              
１３        安全ストッパーピン      
２０        中フレーム  
２１、３１  縦管
２１１      位置決め孔        
２２        横バー              
３０        後フレーム
３２        下横バー          
４０        連結モジュール          
４１        連結バー
４２        Ｌ形係合バー        
４３        留め具              
５０        物置フレーム
５１        コ形伸縮フレーム        
５２        物置台        
５２１      差込孔
５１２      位置決め凸粒      
５１３      Ｖ形弾性片  
５１４      上横管
５１５      上ストップ部          
５１６      下ストップ部      
５２２      上係合ブロック
５２３      下係合ブロック      
５２４      結合台座    
５２５      位置決めブロック
【図１】
0003178280.tif 000003
【図２】
0003178280.tif 000004
【図３】
0003178280.tif 000005
【図４】
0003178280.tif 000006
【図５】
0003178280.tif 000007
【図６】
0003178280.tif 000008
【図７】
0003178280.tif 000009
【図８】
0003178280.tif 000010
【図９】
0003178280.tif 000011
【図１０】
0003178280.tif 000012